(57)【要約】  ユーザがデジタル放送のサービスを移動中に継続して視聴できるデジタル放送受信装置を提供する。デジタル放送受信装置において第１受信信号処理部は、第１チャンネルを受信して第１チャンネル信号を出力する。第２受信信号処理部は、第２チャンネルを受信して第２チャンネル信号を生成する。制御部は、第１受信信号処理部が第１チャンネル信号を出力している期間中に、第１チャンネル信号および第２チャンネル信号のそれぞれに含まれる、各チャンネルによるサービスに関する情報に基づき、第２チャンネルを選択する。そして、制御部は、第１チャンネルおよび第２チャンネルのそれぞれの受信状態に基づき、出力する信号を、第１チャンネル信号および第２チャンネル信号のいずれか一方の信号から他方の信号に切り替える。
2016157725.tif 000002
【特許請求の範囲】
【請求項１】
デジタル放送において第１チャンネルを示す信号を受信し、受信した信号を復調して得られる第１チャンネル信号を出力する第１受信信号処理部と、
前記第１チャンネルとは異なる第２チャンネルを示す信号を受信し、受信した信号を復調して得られる第２チャンネル信号を生成する第２受信信号処理部と、
前記第１受信信号処理部および前記第２受信信号処理部の動作を制御する制御部と、を備え、
前記制御部は、
前記第１受信信号処理部が前記第１チャンネル信号を出力している期間中に、前記第１チャンネル信号および前記第２チャンネル信号のそれぞれに含まれる、各チャンネルによるサービスに関する情報に基づき前記第２チャンネルを選択し、
出力中の前記第１チャンネルおよび選択された前記第２チャンネルのそれぞれの受信状態に基づき、出力する信号を、前記第１チャンネル信号および前記第２チャンネル信号のいずれか一方の信号から他方の信号に切り替える、
デジタル放送受信装置。
【請求項２】
前記制御部は、前記サービスに関する情報に基づいて、前記第２チャンネルによるサービスが前記第１チャンネルによるサービスと同じ内容になるように、前記第２チャンネルを選択する、
請求項１に記載のデジタル放送受信装置。
【請求項３】
前記制御部は、前記サービスに関する情報に基づいて、前記第２チャンネルによるサービスが前記第１チャンネルによるサービスと同じ内容になるように、前記第２チャンネルを選択し、
前記サービスに関する情報は、サービス名、イベント名、前記サービスにおける音声データおよび画像データ、のうちの少なくとも１つを含む、
請求項１に記載のデジタル放送受信装置。
【請求項４】
前記制御部は、前記サービスに関する情報に基づいて、前記第２チャンネルによるサービスが前記第１チャンネルによるサービスと同じ内容になるように、前記第２チャンネルを選択し、
前記サービスに関する情報は、サービス名、イベント名、前記サービスにおける音声データおよび画像データ、のうちの少なくとも１つを含み、
前記画像データは、前記サービスに関するロゴを示す画像データを含む、
請求項１に記載のデジタル放送受信装置。
【請求項５】
前記制御部は、
前記サービスに関する情報に基づいて、前記第２チャンネルによるサービスが前記第１チャンネルによるサービスと同じ内容になるように、前記第２チャンネルを選択し、
前記第１チャンネル信号および前記第２チャンネル信号のそれぞれに含まれる放送ＩＤを用いて、前記第２チャンネルを選択する、
請求項１に記載のデジタル放送受信装置。
【請求項６】
前記制御部は、出力する信号を、前記第１チャンネル信号から前記第２チャンネル信号に切り替える際に、前記第１チャンネル信号と前記第２チャンネル信号との間の遅延を互いに同期させる、
請求項１に記載のデジタル放送受信装置。
【請求項７】
前記制御部は、前記第１チャンネル信号において放送中の番組の場面の転換時またはコマーシャルの期間に合わせて、出力する信号を、前記第１チャンネル信号から前記第２チャンネル信号に切り替える、
請求項１に記載のデジタル放送受信装置。
【請求項８】
当該デジタル放送受信装置の位置を示す位置情報を取得する位置情報取得部と、
前記第２チャンネルが選択されたときの前記位置情報と、前記第１チャンネルおよび前記第２チャンネルと、を互いに関連付けて記録する記憶部と、をさらに備え、
前記制御部は、前記位置情報取得部によって取得される位置情報および前記記憶部に記録された情報に基づき、前記第２チャンネルを選択する、
請求項１に記載のデジタル放送受信装置。
【発明の詳細な説明】
【技術分野】
【０００１】
本開示は、地上デジタルテレビ放送等のデジタル放送を受信するデジタル放送受信装置に関する。
【背景技術】
【０００２】
自動車等の移動体においてデジタル放送を受信するための技術が知られている（例えば、特許文献１）。【０００３】
特許文献１は、複数種類の受信サービスを切り替えて使用できるデジタル放送受信機を開示している。日本で実施されているデジタル放送では、伝送特性の異なる複数の階層を同時に伝送する階層伝送が可能である。【０００４】
そして、特許文献１に開示されたデジタル放送受信機は、デジタル放送による同一チャンネルの放送波から異なる種類の符号化されたデジタルデータ（ＭＰＥＧ２、ＭＰＥＧ４／Ｈ．２６４等）を受信し、受信したデジタルデータの中で、ユーザに視聴されるデジタルデータを切り替えることができる。また、特許文献１に開示されたデジタル放送受信機では、ネットワークフォロー情報に基づいて複数種類の受信サービスを切り替えることができる。
【先行技術文献】
【特許文献】
【０００５】
【特許文献１】特開２００６−２７０２０８号公報
【発明の概要】
【０００６】
特許文献１のデジタル放送受信機は、ネットワークフォロー情報が存在しない場合には、ユーザが、移動中に、継続的にサービスを視聴することが困難である。
【０００７】
また、例えば欧州等で実施されているデジタル放送では、日本の階層伝送とは異なり、同一チャンネルの放送波に異なる種類の符号化されたデジタルデータが存在しないこともある。この場合、デジタル放送受信機は、伝送特性の異なる複数の階層別に符号化されたデジタル放送データを複号することができない。
【０００８】
本開示は、ユーザが、移動中に、デジタル放送の受信状況に応じて、継続的にサービスを視聴することができるデジタル放送受信装置を提供する。
【０００９】
本開示におけるデジタル放送受信装置は、第１受信信号処理部と、第２受信信号処理部と、制御部と、を備える。第１受信信号処理部は、デジタル放送において第１チャンネルを示す信号を受信し、受信した信号を復調して得られる第１チャンネル信号を出力する。第２受信信号処理部は、第１チャンネルとは異なる第２チャンネルを示す信号を受信し、受信した信号を復調して得られる第２チャンネル信号を生成する。制御部は、第１受信信号処理部および第２受信信号処理部の動作を制御する。制御部は、第１受信信号処理部が第１チャンネル信号を出力している期間中に、第１チャンネル信号および第２チャンネル信号のそれぞれに含まれる、各チャンネルによるサービスに関する情報に基づき第２チャンネルを選択する。そして、制御部は、出力中の第１チャンネルおよび選択された第２チャンネルのそれぞれの受信状態に基づき、出力する信号を、第１チャンネル信号および第２チャンネル信号のいずれか一方の信号から他方の信号に切り替える。
【００１０】
本開示におけるデジタル放送受信装置は、ユーザが、移動中に、継続的にサービスを視聴することができる。
【図面の簡単な説明】
【００１１】
【図１】図１は、実施の形態１におけるデジタル放送受信装置の一構成例を模式的に示すブロック図である。
【図２】図２は、移動体に搭載されたデジタル放送受信装置におけるデジタル放送の受信状態を模式的に示す図である。
【図３】図３は、実施の形態１におけるデジタル放送受信装置の動作の一例を示すフローチャートである。
【図４】図４は、実施形の態１におけるデジタル放送受信装置で実行されるメイン受信系統復調処理の一例を示すフローチャートである。
【図５】図５は、実施の形態１におけるデジタル放送受信装置で実行されるサブ受信系統復調処理の一例を示すフローチャートである。
【図６Ａ】図６Ａは、実施形の態１におけるデジタル放送受信装置から出力される映像信号による表示映像の一例を示す図である。
【図６Ｂ】図６Ｂは、実施形の態１におけるデジタル放送受信装置から出力される映像信号による表示映像の一例を示す図である。
【図６Ｃ】図６Ｃは、実施形の態１におけるデジタル放送受信装置から出力される映像信号による表示映像の一例を示す図である。
【図６Ｄ】図６Ｄは、実施形の態１におけるデジタル放送受信装置から出力される映像信号による表示映像の一例を示す図である。
【図７】図７は、実施の形態２におけるデジタル放送受信装置の一構成例を模式的に示すブロック図である。
【図８】図８は、実施の形態２におけるデジタル放送受信装置で実行されるサブ受信系統復調処理の一例を示すフローチャートである。
【発明を実施するための形態】
【００１２】
以下、適宜図面を参照しながら、実施の形態を詳細に説明する。ただし、必要以上に詳細な説明は省略する場合がある。例えば、すでによく知られた事項の詳細説明、および実質的に同一の構成に対する重複説明等を省略する場合がある。これは、以下の説明が不必要に冗長になるのを避け、当業者の理解を容易にするためである。
【００１３】
なお、添付図面および以下の説明は、当業者が本開示を十分に理解するために提供されるのであって、これらにより特許請求の範囲に記載の主題を限定することは意図されていない。
【００１４】
また、各図は、模式図であり、必ずしも厳密に図示されたものではない。また、各図において、実質的に同じ構成要素については同じ符号を付し、説明を省略または簡略化する場合がある。
【００１５】
（実施の形態１）
以下、図１〜図６Ｄを用いて、実施の形態１を説明する。
【００１６】
［１−１．構成］
［１−１−１．概要］
実施の形態１におけるデジタル放送受信装置１００の概要について、図１、図２を参照して説明する。
【００１７】
なお、本開示において、デジタル放送受信装置１００で受信されるサービスとは、放送局から放送波を通して提供される番組等のコンテンツのことである。
【００１８】
図１は、実施の形態１におけるデジタル放送受信装置１００の一構成例を模式的に示すブロック図である。
【００１９】
図１に示すように、デジタル放送受信システムは、デジタル放送受信装置１００と、アンテナ装置１０１と、を備える。デジタル放送受信装置１００は、第１受信信号処理部１１０と、第２受信信号処理部１２０と、制御部１３０と、バッファメモリ１０２と、を備える。
【００２０】
本実施の形態におけるデジタル放送受信システムは、例えば地上デジタルテレビ放送等のデジタル放送を受信できる受信システムである。地上デジタルテレビ放送では、映像信号、音声信号、およびデータ信号で構成された論理チャンネルが、ＭＰＥＧ（Ｍｏｖｉｎｇ  Ｐｉｃｔｕｒｅ  Ｅｘｐｅｒｔｓ  Ｇｒｏｕｐ）等の規格に基づき符号化および多重化され、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式によってデジタル変調されることで、１つの放送チャンネルのデジタル放送波が生成される。複数の放送局から複数の放送チャンネルが放送され、複数の放送局で放送ネットワークが構成される。
【００２１】
また、本デジタル放送受信システムは、例えば車両等の移動体に搭載することが可能である。
【００２２】
図２は、移動体２００に搭載されたデジタル放送受信装置１００におけるデジタル放送の受信状態を模式的に示す図である。
【００２３】
図２において、デジタル放送受信システムを搭載した移動体２００は、サービスエリア２１５とサービスエリア２２５との境界領域を通過している。サービスエリア２１５は、第１の送信局２１０によるデジタル放送波を受信可能な地域（範囲）である。サービスエリア２２５は、第２の送信局２２０によるデジタル放送波を受信可能な地域（範囲）である。本実施の形態におけるデジタル放送受信装置１００は、第１受信信号処理部１１０および第２受信信号処理部１２０を用いることにより、送信局２１０、送信局２２０のそれぞれから送出されるデジタル放送波の内、受信状態が良好なデジタル放送波を選択する。これにより、デジタル放送受信装置１００を使用するユーザは、デジタル放送受信装置１００を搭載した移動体２００で移動中に、所望のサービスを継続的に視聴できる。
【００２４】
［１−１−２．デジタル放送受信装置の構成］
以下、本実施の形態におけるデジタル放送受信装置１００の構成について、図１を用いて説明する。
【００２５】
本実施の形態におけるデジタル放送受信システムは、放送局から放送されるデジタル放送波をアンテナ装置１０１で受信し、受信したデジタル放送信号をデジタル放送受信装置１００で復調する。そして、デジタル放送受信装置１００は、その復調の結果得られるチャンネル信号を、ユーザが視聴可能な表示装置（図示せず）等に出力する。表示装置は、デジタル放送受信装置１００に備えられていてもよく、デジタル放送受信装置１００とは別に設けられてもよい。
【００２６】
アンテナ装置１０１は、例えばダイバーシティアンテナを構成可能な複数のアンテナを有する。アンテナ装置１０１は、複数のアンテナで別々の周波数帯によるチャンネル（物理チャンネル）のデジタル放送波を受信し、デジタル放送信号Ｓｄ１を第１受信信号処理部１１０に出力し、デジタル放送信号Ｓｄ２を第２受信信号処理部１２０に出力する。
【００２７】
デジタル放送受信装置１００において、第１受信信号処理部１１０および第２受信信号処理部１２０は、デジタル放送から１つのチャンネルを選局してチャンネル信号を生成する信号処理を行うチューナモジュールで構成される。
【００２８】
第１受信信号処理部１１０は、復調回路１１１と、多重分離回路１１２と、信号復号回路１１３と、を備える。
【００２９】
復調回路１１１は、選局されたチャンネルに関するデジタル放送信号Ｓｄ１を復調し、多重分離回路１１２に出力する。復調回路１１１から出力されたデジタル放送信号は、多重化および符号化が施された状態にある。
【００３０】
多重分離回路１１２は、復調回路１１１からのデジタル放送信号に対して多重分離（ｄｅｍｕｌｔｉｐｌｅｘｉｎｇ）を行い、その結果として得られるデジタル放送信号を信号復号回路１１３に出力する。
【００３１】
信号復号回路１１３は、多重分離回路１１２からのデジタル放送信号を復号し、復号の結果として得られる映像信号、音声信号およびデータ信号を含むチャンネル信号Ｓｃ１を制御部１３０に出力する。
【００３２】
第２受信信号処理部１２０は、第１受信信号処理部１１０と同様に、復調回路１２１と、多重分離回路１２２と、信号復号回路１２３と、を備える。第２受信信号処理部１２０における各回路の構成および動作は、第１受信信号処理部１１０における各回路と実質的に同じであるので、説明を省略する。
【００３３】
バッファメモリ１０２は、例えばフラッシュメモリ等の記憶装置で構成される。バッファメモリ１０２は、チャンネル信号Ｓｃ１およびチャンネル信号Ｓｃ２のそれぞれに含まれる音声信号および映像信号等を一時的に記録（保持）する。バッファメモリ１０２に保持されたチャンネル信号Ｓｃ１およびチャンネル信号Ｓｃ２のうちのいずれか一方が、出力信号Ｓｏとして外部に出力される。
【００３４】
制御部１３０は、例えばＣＰＵ（Ｃｅｎｔｒａｌ  Ｐｒｏｃｅｓｓｉｎｇ  Ｕｎｉｔ）、またはＭＰＵ（Ｍｉｃｒｏ  Ｐｒｏｃｅｓｓｉｎｇ  Ｕｎｉｔ）、等で構成され、デジタル放送受信装置１００の動作全体を制御する。制御部１３０は内部メモリを有し、ソフトウェアと協働して所定の機能を実現する。例えば、制御部１３０は、同一信号判別部１３１、信号強度判別部１３２、および遅延同期部１３３としての機能を実現する。
【００３５】
同一信号判別部１３１は、バッファメモリ１０２または内部メモリ（図示せず）から、チャンネル信号Ｓｃ１およびチャンネル信号Ｓｃ２のそれぞれに含まれる各種情報を読み出し、チャンネル信号Ｓｃ１およびチャンネル信号Ｓｃ２の各チャンネルによるサービスの、互いの同一性を判別する。なお、同一性の判別とは、各チャンネルによるサービスが互いに同じサービスかどうかを判別することである。
【００３６】
同一信号判別部１３１が使用し得る各種情報の一例には、デジタル放送に付与される識別情報である放送ＩＤ（Ｉｄｅｎｔｉｆｉｃａｔｉｏｎ）がある。放送ＩＤは、例えばＮｅｔｗｏｒｋ  ＩＤ（以下、「ＮＩＤ」という）、Ｏｒｉｇｉｎａｌ  Ｎｅｔｗｏｒｋ  ＩＤ（以下、「ＯＮＩＤ」という）、Ｔｒａｎｓｐｏｒｔ  Ｓｔｒｅａｍ  ＩＤ（以下、「ＴＳＩＤ」という）、およびＳｅｒｖｉｃｅ  ＩＤ（以下、「ＳＩＤ」という）を含む。ＮＩＤは、放送ネットワークを識別するＩＤであり、ＮＩＴ（Ｎｅｔｗｏｒｋ  Ｉｎｆｏｒｍａｔｉｏｎ  Ｔａｂｌｅ：ネットワーク情報テーブル）で規定される。ＯＮＩＤは、例えば国毎の放送ネットワーク全体を識別するＩＤである。ＴＳＩＤは、各マルチプレックスのＩＤである。ＳＩＤは、デジタル放送におけるサービスを識別するＩＤである。
【００３７】
放送ＩＤに加えて、または放送ＩＤに代えて、同一信号判別部１３１は、サービス名（Ｓｅｒｖｉｃｅ  Ｎａｍｅ）やイベント名（Ｅｖｅｎｔ  Ｎａｍｅ）に基づきチャンネル信号Ｓｃ１およびチャンネル信号Ｓｃ２の互いの同一性を判別してもよい。サービス名およびイベント名は、ＩＳＤＢ（Ｉｎｔｅｇｒａｔｅｄ  Ｓｅｒｖｉｃｅｓ  Ｄｉｇｉｔａｌ  Ｂｒｏａｄｃａｓｔｉｎｇ）およびＤＶＢ（Ｄｉｇｉｔａｌ  Ｖｉｄｅｏ  Ｂｒｏａｄｃａｓｔｉｎｇ）等の規格においてはＳＤＴ（Ｓｅｒｖｉｃｅ  Ｄｅｓｃｒｉｐｔｉｏｎ  Ｔａｂｌｅ：サービス記述テーブル）で規定され、チャンネル信号Ｓｃ１およびチャンネル信号Ｓｃ２のそれぞれの中にテキストデータとして埋め込まれている。また、同一信号判別部１３１は、チャンネル信号Ｓｃ１およびチャンネル信号Ｓｃ２のそれぞれに含まれる音声信号および映像信号を用いて、チャンネル信号Ｓｃ１およびチャンネル信号Ｓｃ２の互いの同一性を判別してもよい。ＳＤＴに記述される情報や音声データ、画像データ等のサービスの内容に関する情報（コンテンツ情報）に基づく同一性の判別方法については後述する。
【００３８】
信号強度判別部１３２は、同一信号判別部１３１によって互いの同一性が判別された２つのチャンネル信号Ｓｃ１およびチャンネル信号Ｓｃ２のそれぞれの信号強度を計測し、いずれがより強い信号強度を有する信号かを判別する。計測対象の信号強度には、例えば、信号の電界強度、およびＢｉｔ  Ｅｒｒｏｒ  Ｒａｔｅ（ＢＥＲ）の値、等がある。
【００３９】
遅延同期部１３３は、例えばバッファメモリ１０２でチャンネル信号Ｓｃ１およびチャンネル信号Ｓｃ２のそれぞれを保持する期間（以下「バッファ期間」という）を調整することで、チャンネル信号Ｓｃ１とチャンネル信号Ｓｃ２との間の遅延を互いに同期させる。これにより、チャンネル信号Ｓｃ１とチャンネル信号Ｓｃ２との間で出力信号Ｓｏを互いに切り替える際に、チャンネル信号Ｓｃ１とチャンネル信号Ｓｃ２とが互いに同期した状態で出力信号Ｓｏを切り替える（例えば、出力信号Ｓｏをチャンネル信号Ｓｃ１からチャンネル信号Ｓｃ２に切り替える）ことができる。
【００４０】
なお、以上の説明では、制御部１３０がＣＰＵで構成される例について説明したが、制御部１３０は、ＣＰＵに限らず、所定の機能を実現するように設計された専用の電子回路や再構成可能な電子回路等のハードウェア回路であってもよい。制御部１３０は、ＭＰＵ、マイコン、ＤＳＰ（Ｄｉｇｉｔａｌ  Ｓｉｇｎａｌ  Ｐｒｏｃｅｓｓｏｒ）、ＦＰＧＡ（Ｆｉｅｌｄ  Ｐｒｏｇｒａｍｍａｂｌｅ  Ｇａｔｅ  Ａｒｒａｙ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等の種々の半導体集積回路で構成されてもよい。例えば、同一信号判別部１３１、信号強度判別部１３２、および遅延同期部１３３が別々の回路装置で構成されてもよい。
【００４１】
［１−２．動作］
［１−２−１．動作の概要］
次に、本実施の形態におけるデジタル放送受信装置１００の動作の概要について説明する。
【００４２】
デジタル放送受信装置１００は、例えば自動車等の移動体に搭載され、放送局から放送されるデジタル放送を受信する。移動体は、複数の放送局による複数のサービスエリアを跨いで移動することがある。この際、ユーザが所望するサービスを継続的に視聴することを可能にするために、デジタル放送受信装置１００では、第１受信信号処理部１１０および第２受信信号処理部１２０による２つの受信系統が用いられる。例えば、デジタル放送受信装置１００では、一方の受信系統（以下、「メイン受信系統」という）が視聴対象の特定のチャンネルを示すデジタル放送信号を安定的に受信している間に、他方の受信系統（以下、「サブ受信系統」という）で次の選局候補の選択を行う。これにより、移動体が現在受信中の放送局のサービスエリアを出て、隣の放送局のサービスエリアに入ったときに、デジタル放送受信装置１００は、自動的にチャンネルを切り替えることができる。
【００４３】
ここで、サブ受信系統では、デジタル放送受信装置１００が受信可能なデジタル放送による複数種類の受信サービスの中から、メイン受信系統で現在受信中（視聴中）の放送サービスと同等（同一番組）のサービスが、同一信号判別部１３１により判別される。これにより、上述した同一性の判別が行われる。
【００４４】
同一信号判別部１３１による判別処理は、地域の放送事業者毎に構成されたＮＩＴに含まれるネットワーク情報に基づいて行われてもよい。例えば、特定のＩＤ（ＴＳＩＤ、ＳＩＤ、ＮＩＤ、等）は放送局の系列を示している。このため、これらのネットワーク情報が整備された国（例えば日本）では、デジタル放送波からネットワーク情報を抽出することにより、同一系列の放送局からのデジタル放送信号を判別できる。しかし、例えば新興国等では、ＮＩＴのようなネットワーク情報が整備されていないことが多く、当該ネットワーク情報の信頼性が低いことがある。
【００４５】
そこで、本実施の形態のデジタル放送受信装置１００では、デジタル放送信号に含まれる、サービスネーム等が記述されたＳＤＴ（サービス記述テーブル）や音声データ、画像データを含むコンテンツ情報に基づいて、メイン受信系統とサブ受信系統との間で互いのサービスの同一性を判別する。これにより、ネットワーク情報を利用できない場合やネットワーク情報の信頼性が低い場合であっても、デジタル放送受信装置１００は、受信可能なサービス全体から、ユーザが視聴中のサービスと同等のサービスを見出し、種々の放送圏を跨いで移動する際に継続して同じサービスをユーザが視聴することを可能にするこことができる。
【００４６】
また、本実施の形態のデジタル放送受信装置１００では、メイン受信系統とサブ受信系統との間でサービスを切り替える際に、それぞれのコンテンツ情報に基づいて、出力信号Ｓｏの切り替えのタイミング（例えば、出力信号Ｓｏをチャンネル信号Ｓｃ１からチャンネル信号Ｓｃ２に切り替えるタイミング）を調整する。これにより、出力信号Ｓｏの切り替え時にユーザが違和感なく継続して所望のサービスを視聴できる。
【００４７】
以下、本実施の形態におけるデジタル放送受信装置１００の動作について説明する。
【００４８】
［１−２−２．デジタル放送受信装置の動作］
本実施の形態におけるデジタル放送受信装置１００の動作について、図３を用いて説明する。
【００４９】
図３は、実施の形態１におけるデジタル放送受信装置１００の動作の一例を示すフローチャートである。
【００５０】
図３のフローチャートは、デジタル放送受信装置１００の制御部１３０によって実行される。図３のフローチャートは、デジタル放送受信装置１００において、ユーザの操作等によりデジタル放送における特定のチャンネル（特定のサービス）が選局された状態で開始される。
【００５１】
まず、制御部１３０は、メイン受信系統復調処理を行う（ステップＳ１０１）。
【００５２】
メイン受信系統復調処理は、メイン受信系統において、ユーザに選局されたチャンネルを示す信号の復調等の信号処理を行い、ユーザに視聴されるサービスを表すメイン信号を出力する処理である。メイン受信系統復調処理の詳細については後述する。
【００５３】
以下では、メイン受信系統が第１受信信号処理部１１０と第２受信信号処理部１２０との間で、逐次、切り替わる例について説明する。なお、初期状態のメイン受信系統は、第１受信信号処理部１１０に設定されていることとする。この場合、チャンネル信号Ｓｃ１がメイン信号として出力される。
【００５４】
次に、制御部１３０は、サブ受信系統復調処理を行う（ステップＳ１０２）。
【００５５】
サブ受信系統復調処理は、サブ受信系統において、メイン受信系統で選局されたチャンネルとは異なるチャンネルを選局し、メイン信号と同一のサービスを表すサブ信号を選択的に復調する処理である。本動作例では、初期状態のサブ受信系統は第２受信信号処理部１２０に設定され、チャンネル信号Ｓｃ２がサブ信号となる。
【００５６】
なお、メイン受信系統が第２受信信号処理部１２０に設定され、サブ受信系統が第１受信信号処理部１１０に設定されていてもよい。その場合は、チャンネル信号Ｓｃ２がメイン信号として出力され、チャンネル信号Ｓｃ１がサブ信号となる。
【００５７】
サブ受信系統復調処理において、制御部１３０は同一信号判別部１３１として機能し、メイン信号およびサブ信号に含まれる、それぞれのコンテンツ情報を比較することにより、メイン信号およびサブ信号のサービスの内容が同一であるか否かを判断する。サブ受信系統復調処理の詳細については後述する。
【００５８】
なお、メイン受信系統復調処理（ステップＳ１０１）とサブ受信系統復調処理（ステップＳ１０２）とは、並列（パラレル）に実行されてもよい。
【００５９】
次に、制御部１３０は、信号強度判別部１３２として機能し、メイン信号Ｓｃ１とサブ信号Ｓｃ２の両方の信号の受信状態をチェックする（ステップＳ１０３）。なお、このメイン信号Ｓｃ１はチャンネル信号Ｓｃ１のことであり、このサブ信号Ｓｃ２はチャンネル信号Ｓｃ２のことである。
【００６０】
具体的には、制御部１３０は、第１受信信号処理部１１０で復調されたチャンネル信号Ｓｃ１および第２受信信号処理部１２０で復調されたチャンネル信号Ｓｃ２のそれぞれの信号強度を計測する。
【００６１】
次に、制御部１３０は、信号強度判別部１３２として機能し、ステップＳ１０３でチェックしたメイン信号Ｓｃ１およびサブ信号Ｓｃ２の受信状態を互いに比較する。そして、制御部１３０は、サブ信号Ｓｃ２の受信状態がメイン信号Ｓｃ１の受信状態よりも良好か否かを判断する（ステップＳ１０４）。
【００６２】
具体的には、ステップＳ１０４における制御部１３０（信号強度判別部１３２）の判断は、サブ信号Ｓｃ２の信号強度がメイン信号Ｓｃ１の信号強度よりも強いか否かに基づき行われる。
【００６３】
制御部１３０は、ステップＳ１０４において、サブ信号Ｓｃ２の受信状態はメイン信号Ｓｃ１の受信状態よりも良好ではないと判断した場合（ステップＳ１０４でＮｏ）、ステップＳ１０１に戻り、ステップＳ１０１以降の処理を繰り返す。
【００６４】
一方、制御部１３０は、ステップＳ１０４において、サブ信号Ｓｃ２の受信状態はメイン信号Ｓｃ１の受信状態よりも良好であると判断した場合（ステップＳ１０４でＹｅｓ）、制御部１３０は遅延同期部１３３として機能し、ステップＳ１０５、Ｓ１０６の処理を行う。
【００６５】
すなわち、制御部１３０は、第１受信信号処理部１１０の受信状態よりも第２受信信号処理部１２０の受信状態が良好と判断したとき（ステップＳ１０４でＹｅｓ）、ステップＳ１０５、Ｓ１０６において、第２受信信号処理部１２０の出力を「メイン信号」とするように、メイン受信系統とサブ受信系統とを切り替える。このとき、第１受信信号処理部１１０からメイン信号Ｓｃ１が出力されるタイミング（メイン信号Ｓｃ１の出力タイミング）と、切り替え先の第２受信信号処理部１２０からサブ信号Ｓｃ２が出力されるタイミング（サブ信号Ｓｃ２の出力タイミング）とは、予め同期されていなければ、互いにずれている可能性がある。
【００６６】
そこで、制御部１３０は、遅延同期部１３３として機能し、第１受信信号処理部１１０からメイン信号Ｓｃ１を出力するタイミングと、第２受信信号処理部１２０からサブ信号Ｓｃ２を出力するタイミングとの両方の出力タイミングを互いに同期させる（ステップＳ１０５）。
【００６７】
具体的には、制御部１３０は、まず、メイン信号Ｓｃ１の音声データとサブ信号Ｓｃ２の音声データとを比較し、メイン信号Ｓｃ１とサブ信号Ｓｃ２のうちのどちらの信号の出力タイミングが早いのかを検知する。サブ信号Ｓｃ２がメイン信号Ｓｃ１よりも早い場合には、制御部１３０は、メイン信号Ｓｃ１の出力タイミングに合わせてサブ信号Ｓｃ２の出力タイミングを遅らせるように、サブ信号Ｓｃ２をバッファメモリ１０２で保持するバッファ期間を延長する。一方、メイン信号Ｓｃ１がサブ信号Ｓｃ２よりも早い場合には、制御部１３０は、メイン信号Ｓｃ１の出力タイミングに合わせてサブ信号Ｓｃ２の出力タイミングを早めるように、サブ信号Ｓｃ２のバッファ期間を削減する。
【００６８】
メイン信号Ｓｃ１とサブ信号Ｓｃ２との間の遅延時間がバッファ期間の最大値等よりも大きい場合、両信号の出力タイミングを互いに同期させることができない可能性がある。そこで、制御部１３０は、メイン信号Ｓｃ１に含まれるコンテンツ情報に基づいて、メイン信号Ｓｃ１で放送中の番組の場面の転換等のタイミングを検知し、検知したタイミングで、出力信号Ｓｏを、メイン信号Ｓｃ１からサブ信号Ｓｃ２に切り替える（ステップＳ１０６）。
【００６９】
例えば、制御部１３０は、メイン信号Ｓｃ１の音声データの変化に基づきメイン信号Ｓｃ１からサブ信号Ｓｃ２への切り替えのタイミングを判別してもよい。または、制御部１３０は、例えばＩＤＲ（Ｉｎｓｔａｎｔａｎｅｏｕｓ  Ｄｅｃｏｄｉｎｇ  Ｒｅｆｒｅｓｈ）ピクチャ（フレーム）同士を比較することにより、画面全体に渡る画像データの大幅な変更を検知して、当該タイミングを判別してもよい。または、制御部１３０は、コマーシャルの放送期間を示す所定のフラグに基づき、コマーシャルの期間中または開始タイミングに、メイン信号Ｓｃ１からサブ信号Ｓｃ２への切り替えを行ってもよい。
【００７０】
以上のように、デジタル放送受信装置１００は、ユーザが視聴中のサービスにおける場面転換のタイミングに合わせて出力信号Ｓｏをメイン信号Ｓｃ１からサブ信号Ｓｃ２へ切り替えることで、ユーザに与える違和感を低減してチャンネルを切り替えることができる。
【００７１】
ステップＳ１０６の後、制御部１３０は、第２受信信号処理部１２０をメイン受信系統とするとともに、第１受信信号処理部１１０をサブ受信系統として、ステップＳ１０１以降の処理を、再度行う。
【００７２】
以上の処理により、デジタル放送受信装置１００では、受信状態の変動に応じてメイン受信系統とサブ受信系統とが交互に切り替わるので、移動体に搭乗したユーザが、移動中に、同一のサービスを継続的に視聴することが可能になる。
【００７３】
また、デジタル放送受信装置１００では、バッファメモリ１０２に数秒程度のデータを取りためておくことで、メイン信号Ｓｃ１からサブ信号Ｓｃ２への切り替えを行う際に、バッファメモリ１０２内のデータから信号を復元することが可能となる。これにより、遅延同期部１３３によって出力信号Ｓｏをメイン信号Ｓｃ１からサブ信号Ｓｃ２へ切り替える際にユーザに与える違和感を低減することが可能となる。
【００７４】
なお、デジタル放送受信装置１００では、出力信号Ｓｏをメイン信号Ｓｃ１からサブ信号Ｓｃ２へ切り替えるときに、メイン信号Ｓｃ１とサブ信号Ｓｃ２と間の遅延が互いに同期されなくてもよい。例えば、コマーシャルの期間等に合わせて、出力信号Ｓｏがメイン信号Ｓｃ１からサブ信号Ｓｃ２に切り替わることで、メイン信号Ｓｃ１とサブ信号Ｓｃ２との間の時間的なずれによりユーザが感じる可能性がある違和感を、低減できる。また、例えばメイン信号Ｓｃ１の信号強度が所定のしきい値よりも低くなった場合には、制御部１３０は、メイン信号Ｓｃ１とサブ信号Ｓｃ２との間の遅延を互いに同期させずに、即時、出力信号Ｓｏをメイン信号Ｓｃ１からサブ信号Ｓｃ２へ切り替えてもよい。
【００７５】
［１−２−２−１．メイン受信系統復調処理］
次に、図３のステップＳ１０１のメイン受信系統復調処理について、図４を用いて説明する。
【００７６】
図４は、実施形の態１におけるデジタル放送受信装置１００で実行されるメイン受信系統復調処理の一例を示すフローチャートである。
【００７７】
図４のフローチャートは、制御部１３０によって実行され、所定の周期（例えば、３０ｆｐｓ（ｆｒａｍｅｓ  ｐｅｒ  ｓｅｃｏｎｄ））で繰り返し行われる。以下、メイン受信系統が第１受信信号処理部１１０である場合について説明する。なお、第２受信信号処理部１２０がメイン受信系統であってもよい。その場合は、以下の第１受信信号処理部１１０を第２受信信号処理部１２０に、デジタル放送信号Ｓｄ１をデジタル放送信号Ｓｄ２に、読み替えればよい。
【００７８】
まず、制御部１３０は、第１受信信号処理部１１０が、アンテナ装置１０１で受信されたデジタル放送信号Ｓｄ１から、ユーザによって予め選局されたチャンネルを復調するように、第１受信信号処理部１１０を制御する（ステップＳ２０１）。
【００７９】
このとき、第１受信信号処理部１１０は、選局されたサービスのデジタル放送信号Ｓｄ１に対して、順次、復調回路１１１、多重分離回路１１２、信号復号回路１１３（図１参照）において、復調、多重分離、復号を施し、それらの処理が施された信号をメイン信号Ｓｃ１として制御部１３０に出力する。
【００８０】
次に、制御部１３０は、第１受信信号処理部１１０で復調されたメイン信号Ｓｃ１を、随時、バッファメモリ１０２で保持しながら、出力信号Ｓｏとして外部に出力する（ステップＳ２０２）。
【００８１】
これにより、制御部１３０は図３のステップＳ１０１の処理を終了し、ステップＳ１０２の処理に進む。
【００８２】
［１−２−２−２．サブ受信系統復調処理］
次に、図３のステップＳ１０２のサブ受信系統復調処理について、図５を用いて説明する。
【００８３】
図５は、実施の形態１におけるデジタル放送受信装置１００で実行されるサブ受信系統復調処理の一例を示すフローチャートである。
【００８４】
図５のフローチャートは、制御部１３０によって実行される。以下、サブ受信系統が第２受信信号処理部１２０である場合について説明する。なお、第１受信信号処理部１１０がサブ受信系統であってもよい。その場合は、以下の第２受信信号処理部１２０を第１受信信号処理部１１０に、デジタル放送信号Ｓｄ２をデジタル放送信号Ｓｄ１に、読み替えればよい。
【００８５】
まず、制御部１３０は、第２受信信号処理部１２０が、アンテナ装置１０１で受信されたデジタル放送信号Ｓｄ２から、メイン信号とは別のチャンネルを復調するように、第２受信信号処理部１２０を制御する（ステップＳ３０１）。
【００８６】
次に、制御部１３０は、同一信号判別部１３１として機能し、メイン信号Ｓｃ１およびサブ信号Ｓｃ２に含まれるコンテンツ情報をそれぞれ解析して、メイン信号Ｓｃ１およびサブ信号Ｓｃ２のそれぞれの解析結果を互いに比較する（ステップＳ３０２）。
【００８７】
例えば、制御部１３０は、メイン信号Ｓｃ１およびサブ信号Ｓｃ２に含まれるコンテンツ情報として、サービスネームをそれぞれ抽出し、互いに比較する。他のコンテンツ情報（音声データ或いは画像データ）に基づく同一サービスの判別方法については後述する。
【００８８】
次に、制御部１３０は、同一信号判別部１３１として機能し、メイン信号Ｓｃ１とサブ信号Ｓｃ２との比較結果に基づき、サブ信号Ｓｃ２のサービスがメイン信号Ｓｃ１のサービスと同一（または類似）であるか否かを判断する（ステップＳ３０３）。
【００８９】
例えば、メイン信号Ｓｃ１から抽出されたサービスネームが「ＭＨＫ大阪」であり、サブ信号Ｓｃ２から抽出されたサービスネームが「ＭＨＫ京都」であるとする。「ＭＨＫ大阪」と「ＭＨＫ京都」のように、抽出されたサービスネームが互いに類似している場合、制御部１３０は、先頭部分のテキストデータ「ＭＨＫ」が一致していることに基づき、サブ信号Ｓｃ２のサービスはメイン信号Ｓｃ１のサービスと同一（または類似）である（ステップＳ３０３でＹｅｓ）と判断する。
【００９０】
この例では、テキストデータの先頭部分の「ＭＨＫ」はキー局を表している。そして、キー局を表すテキストデータ（すなわち、テキストデータの最初の３文字）が互いに一致していることにより、制御部１３０は、サブ信号Ｓｃ２のサービスはメイン信号Ｓｃ１のサービスと同一（または類似）である（ステップＳ３０３でＹｅｓ）、と判断している。例えば同一信号判別部１３１としての制御部１３０では、このようにしてメイン信号Ｓｃ１のサービスとサブ信号Ｓｃ２のサービスとの互いの同一性（または類似性）が判断されてもよい。すなわち、サービスネームを表すテキストデータにおいて、先頭からあらかじめ定められた複数文字（例えば、３文字）が互いに一致した場合に、同一信号判別部１３１としての制御部１３０は、サブ信号Ｓｃ２のサービスはメイン信号Ｓｃ１のサービスと同一（または類似）である（ステップＳ３０３でＹｅｓ）、と判断してもよい。しかし、この判断基準は単なる一例に過ぎず、本開示は何らこの動作例に限定されない。
【００９１】
制御部１３０は、サブ信号Ｓｃ２のサービスはメイン信号Ｓｃ１のサービスと同一（または類似）ではないと判断した場合（ステップＳ３０３でＮｏ）、第２受信信号処理部１２０で選局しているチャンネルを変更する（ステップＳ３０４）。制御部１３０は、変更したチャンネルにおいてステップＳ３０１以降の処理を繰り返す。
【００９２】
制御部１３０は、サブ信号Ｓｃ２のサービスはメイン信号Ｓｃ１のサービスと同一（または類似）であると判断した場合（ステップＳ３０３でＹｅｓ）、図３のステップＳ１０２の処理を終了し、ステップＳ１０３の処理に進む。
【００９３】
以上の処理により、サブ信号Ｓｃ２のサービスはメイン信号Ｓｃ１のサービスと同一（または類似）であると判別されるまで、制御部１３０は、サブ信号Ｓｃ２のチャンネルを繰り返し変更する。こうして、デジタル放送受信装置１００では、メイン信号Ｓｃ１と実質的に同一のサービスを供給するチャンネルが、サブ受信系統において選択（検索）される。
【００９４】
［１−２−２−３．同一サービスの判別方法について］
以下、サブ受信系統復調処理における同一サービスの判別方法の変形例について説明する。
【００９５】
サブ受信系統復調処理では、メイン信号Ｓｃ１とサブ信号Ｓｃ２に含まれる映像信号を用いて、同一サービスの判別が行われてもよい。例えば、制御部１３０は、図５のステップＳ３０２において、メイン信号Ｓｃ１およびサブ信号Ｓｃ２のそれぞれに含まれる映像信号から、放送局のロゴ等の画像データを抽出し、互いに比較してもよい。
【００９６】
図６Ａ〜図６Ｄを用いて、ロゴの画像データの抽出方法について説明する。
【００９７】
図６Ａ〜図６Ｄは、実施形の態１におけるデジタル放送受信装置１００から出力される映像信号による表示映像の一例を示す図である。図６Ａ〜図６Ｄは、デジタル放送による映像信号の第１の表示例〜第４の表示例を示す。
【００９８】
画面全体の画像データＤ１の中で、ロゴＤ２は通常、画面に固定されており、画面内を移動しない。そこで、本実施の形態では、制御部１３０は、例えばメイン信号Ｓｃ１およびサブ信号Ｓｃ２に含まれる動きベクトルの情報に基づき、ベクトル量が実質的にゼロ（静止）になる画像データを取り出して、ロゴの画像データを抽出してもよい。
【００９９】
また、図６Ａ〜図６Ｄに示すように、ロゴＤ２の表示位置は、通常、画面の隅に配置される。そのため、ロゴＤ２の抽出の対象は、画面全体の画像データＤ１でなくてもよい。本実施の形態において、制御部１３０は、図６Ａ〜図６Ｄに示すように、画像データＤ１の四隅における所定領域６０１〜６０４を抽出対象として、ロゴＤ２の抽出を行ってもよい。制御部１３０は、メイン信号Ｓｃ１およびサブ信号Ｓｃ２のそれぞれから抽出したロゴＤ２の画像データの形状、色彩および配置、等を互いに比較し、同一サービスか否かの判断を行ってもよい。
【０１００】
なお、比較対象の画像データはロゴＤ２の画像データに限定されない。例えば、メイン信号Ｓｃ１およびサブ信号Ｓｃ２のそれぞれに含まれる静止画像（動きベクトルのベクトル量が実質的にゼロになる画像）が互いに比較されてもよい。
【０１０１】
また、サブ受信系統復調処理では、メイン信号Ｓｃ１とサブ信号Ｓｃ２とのそれぞれに含まれる音声信号を用いて、同一サービスか否かの判別が行われてもよい。例えば、制御部１３０は、メイン信号Ｓｃ１およびサブ信号Ｓｃ２のそれぞれにおける所定期間（例えば、５秒）の音声データをバッファメモリ１０２で保持し、保持した音声データを互いに比較して、メイン信号Ｓｃ１とサブ信号Ｓｃ２との間で互いに類似する部分があるか否かを判断してもよい。
【０１０２】
上記の判断は、例えばサービスネームが類似していると制御部１３０が判断したときに行われてもよい。これにより、制御部１３０は、サービスネームが類似していないときには音声データ（または画像データ）の比較を省略でき、同一サービスか否かの判別を効率的に行うことができる。
【０１０３】
［１−３．効果等］
以上のように、本実施の形態において、デジタル放送受信装置は、第１受信信号処理部と、第２受信信号処理部と、制御部と、を備える。第１受信信号処理部は、デジタル放送において第１チャンネルを示す信号を受信し、受信した信号を復調して得られる第１チャンネル信号を出力する。第２受信信号処理部は、第１チャンネルとは異なる第２チャンネルを示す信号を受信し、受信した信号を復調して得られる第２チャンネル信号を生成する。制御部は、第１受信信号処理部および第２受信信号処理部の動作を制御する。制御部は、第１受信信号処理部が第１チャンネル信号を出力している期間中に、第１チャンネル信号および第２チャンネル信号のそれぞれに含まれる、各チャンネルによるサービスに関する情報に基づき、第２チャンネルを選択する。そして、制御部は、出力中の第１チャンネルおよび選択された第２チャンネルのそれぞれの受信状態に基づき、出力する信号を、第１チャンネル信号および第２チャンネル信号のいずれか一方の信号から他方の信号に切り替える。
【０１０４】
なお、デジタル放送受信装置１００はデジタル放送受信装置の一例である。第１受信信号処理部１１０は第１受信信号処理部の一例である。第２受信信号処理部１２０は第２受信信号処理部の一例である。制御部１３０は制御部の一例である。デジタル放送信号Ｓｄ１は第１チャンネルを示す信号の一例である。チャンネル信号Ｓｃ１は第１チャンネル信号の一例である。デジタル放送信号Ｓｄ２は第２チャンネルを示す信号の一例である。チャンネル信号Ｓｃ２は第２チャンネル信号の一例である。
【０１０５】
例えば、実施の形態１に示した例では、デジタル放送受信装置１００は、第１受信信号処理部１１０と、第２受信信号処理部１２０と、制御部１３０と、を備える。第１受信信号処理部１１０は、デジタル放送において第１チャンネルを示すデジタル放送信号Ｓｄ１を受信し、受信したデジタル放送信号Ｓｄ１を復調して得られる第１チャンネル信号（チャンネル信号Ｓｃ１）を出力する。第２受信信号処理部１２０は、第１チャンネルとは異なる第２チャンネルを示すデジタル放送信号Ｓｄ２を受信し、受信したデジタル放送信号Ｓｄ２を復調して得られる第２チャンネル信号（チャンネル信号Ｓｃ２）を生成する。制御部１３０は、第１受信信号処理部１１０および第２受信信号処理部１２０の動作を制御する。制御部１３０は、第１受信信号処理部１１０が第１チャンネル信号（チャンネル信号Ｓｃ１）を出力している期間中に、第１チャンネル信号（チャンネル信号Ｓｃ１）および第２チャンネル信号（チャンネル信号Ｓｃ２）のそれぞれに含まれる、各サービスの内容に関する情報に基づいて、第２チャンネルを選択する。そして、制御部１３０は、出力中の第１チャンネルおよび選択された第２チャンネルのそれぞれの受信状態に基づき、出力する信号を、チャンネル信号Ｓｃ１からチャンネル信号Ｓｃに切り替える。
【０１０６】
これにより、デジタル放送受信装置１００では、第１チャンネル信号（チャンネル信号Ｓｃ１）および第２チャンネル信号（チャンネル信号Ｓｃ２）のそれぞれに含まれる、各チャンネルによるサービスに関する情報に基づいて、第２チャンネル（チャンネル信号Ｓｃ２）が選択される。これにより、移動体に搭載されたデジタル放送受信装置１００を使用してサービスを視聴するユーザは、移動中のデジタル放送の受信状況に応じて、移動中に、継続的に同一のサービスを視聴することができる。
【０１０７】
デジタル放送受信装置の制御部は、第１チャンネル信号および第２チャンネル信号のそれぞれに含まれる、サービスに関する情報に基づいて、第２チャンネルによるサービスが第１チャンネルによるサービスと同じ内容になるように、第２チャンネルを選択してもよい。
【０１０８】
例えば、実施の形態１に示した例では、デジタル放送受信装置１００において、制御部１３０は、第１チャンネル信号（チャンネル信号Ｓｃ１）および第２チャンネル信号（チャンネル信号Ｓｃ２）のそれぞれに含まれる、サービスに関する情報に基づいて、第２チャンネルによるサービスが第１チャンネルによるサービスと同じ内容になるように、第２チャンネルを選択する。
【０１０９】
これにより、移動体に搭載されたデジタル放送受信装置１００を使用してサービスを視聴するユーザは、第１チャンネル信号（チャンネル信号Ｓｃ１）および第２チャンネル信号（チャンネル信号Ｓｃ２）の受信状態に応じて、移動中に、継続的に同一のサービスを視聴することができる。
【０１１０】
当該サービスに関する情報は、サービス名、イベント名、当該サービスにおける音声データおよび画像データ、のうちの少なくとも１つを含んでもよい。また、画像データは、当該サービスに関するロゴを示す画像データを含んでもよい。
【０１１１】
なお、コンテンツ情報は、サービスに関する情報の一例である。放送局のロゴ（ロゴＤ２）は、当該サービスに関するロゴの一例である。
【０１１２】
例えば、実施の形態１に示した例では、デジタル放送受信装置１００において、当該サービスに関するコンテンツ情報は、サービス名、イベント名、当該サービスにおける音声データおよび画像データ、のうちの少なくとも１つを含む。また、その画像データは、サービスに関するロゴを示す画像データを含む。
【０１１３】
これにより、デジタル放送受信装置１００は、ネットワーク情報ではなく、コンテンツ情報に基づき、サブ受信系統による第２チャンネルを選択することができる。
【０１１４】
デジタル放送受信装置の制御部は、第１チャンネル信号および第２チャンネル信号のそれぞれに含まれる放送ＩＤを用いて、第２チャンネルを選択してもよい。
【０１１５】
例えば、実施の形態１に示した例では、デジタル放送受信装置１００において、制御部１３０は、第１チャンネル信号（チャンネル信号Ｓｃ１）および第２チャンネル信号（チャンネル信号Ｓｃ２）のそれぞれに含まれる、複数の放送ＩＤを用いて、第２チャンネル（チャンネル信号Ｓｃ２）を選択してもよい。例えば、制御部１３０は、サブ受信系統による第２チャンネルの選局対象を、ＯＮＩＤが第１チャンネルと同一の範囲に制限してもよい。制御部１３０は、その条件の下で、チャンネル信号Ｓｃ１およびチャンネル信号Ｓｃ２のそれぞれに含まれるＴＳＩＤやＳＩＤを互いに比較してもよい。これにより、デジタル放送受信装置１００では、制御部１３０で行う第２チャンネルの選択を効率化することができる。
【０１１６】
また、実施の形態１に示した例では、デジタル放送受信装置１００において、制御部１３０は、第１チャンネル信号（チャンネル信号Ｓｃ１）を出力している期間中に、当該サービスに関する情報を解析しながら、第２チャンネルを選択する。制御部１３０は、出力中の第１チャンネルおよび選択された第２チャンネルのそれぞれの受信状態を互いに比較し、その比較の結果に基づき、出力する信号を、第１チャンネル信号（チャンネル信号Ｓｃ１）から第２チャンネル信号（チャンネル信号Ｓｃ２）に切り替える。
【０１１７】
これにより、デジタル放送受信装置１００では、第１チャンネル信号（チャンネル信号Ｓｃ１）の出力中に、随時、当該サービスに関する情報が解析され、第２チャンネルが選択される。このため、移動中に、デジタル放送受信装置１００を使用してサービスを視聴するユーザは、チャンネル信号Ｓｃ１およびチャンネル信号Ｓｃ２のそれぞれの受信状態に応じて、継続的にサービスを視聴することができる。
【０１１８】
デジタル放送受信装置の制御部は、出力する信号を、第１チャンネル信号から第２チャンネル信号に切り替える際に、第１チャンネル信号と第２チャンネル信号との間の遅延を互いに同期させてもよい。
【０１１９】
例えば、実施の形態１に示した例では、デジタル放送受信装置１００において、制御部１３０は、出力する信号を、第１チャンネル信号（チャンネル信号Ｓｃ１）から第２チャンネル信号（チャンネル信号Ｓｃ２）に切り替える際に、第１チャンネル信号（チャンネル信号Ｓｃ１）と第２チャンネル信号（チャンネル信号Ｓｃ２）との間の遅延を互い同期させる。
【０１２０】
これにより、デジタル放送受信装置１００は、ユーザが視聴中のチャンネルが、第１チャンネルから第２チャンネルに切り替わるときに、第１チャンネル信号と第２チャンネル信号とが互いに同期していないことで生じるタイミングのずれによりユーザが感じる可能性がある違和感を、低減することができる。
【０１２１】
デジタル放送受信装置の制御部は、第１チャンネル信号において放送中の番組の場面の転換時またはコマーシャルの期間に合わせて、出力する信号を、第１チャンネル信号から第２チャンネル信号に切り替えてもよい。
【０１２２】
例えば、実施の形態１に示した例では、デジタル放送受信装置１００において、制御部１３０は、出力中の第１チャンネル信号（チャンネル信号Ｓｃ１）において放送中の番組の場面の転換時またはコマーシャルの期間に合わせて、出力する信号を、第１チャンネル信号（チャンネル信号Ｓｃ１）から第２チャンネル信号（チャンネル信号Ｓｃ２）に切り替える。
【０１２３】
これにより、デジタル放送受信装置１００は、ユーザが視聴中のチャンネルが、第１チャンネルから第２チャンネルに切り替わるときに、第１チャンネル信号と第２チャンネル信号とが互いに同期していない場合であっても、サービスの場面または内容に応じてその切り替えができるので、ユーザが感じる可能性がある違和感を低減することができる。
【０１２４】
（実施の形態２）
以下、図７、図８を用いて、実施の形態２を説明する。
【０１２５】
実施の形態１では、サブ受信系統でメイン受信系統と同一サービスのチャンネルが検索される動作例を説明した。本実施の形態では、位置情報を利用して同一サービスのチャンネルの検索結果を蓄積する方法について説明する。
【０１２６】
［２−１．構成］
以下、実施の形態２におけるデジタル放送受信装置１００Ａを説明する。
【０１２７】
なお、実施の形態２に示すデジタル放送受信装置１００Ａでは、実施の形態１に示したデジタル放送受信装置１００が備える構成要素と実質的に同じ動作をする構成要素に関しては、その構成要素と同じ符号を付与し、説明を省略する。以下、実施の形態１に示したデジタル放送受信装置１００と異なる点を中心に説明を行い、実施の形態１に示したデジタル放送受信装置１００と実質的に同一となる動作についての説明は省略される場合がある。
【０１２８】
図７は、実施の形態２におけるデジタル放送受信装置１００Ａの一構成例を模式的に示すブロック図である。
【０１２９】
図７に示すように、デジタル放送受信装置１００Ａは、実施の形態１で説明したデジタル放送受信装置１００と実質的に同じ構成を備える。デジタル放送受信装置１００Ａは、その構成に加えて、さらに、位置情報取得装置１４０と、チャンネル情報記憶装置１５０と、を備える。
【０１３０】
位置情報取得装置１４０は、例えばＧＰＳ（Ｇｌｏｂａｌ  Ｐｏｓｉｔｉｏｎｉｎｇ  Ｓｙｓｔｅｍ）モジュールで構成される。位置情報取得装置１４０は、ＧＰＳ衛星から電波（ＧＰＳ情報）を受信し、受信した地点の緯度および経度を示す位置情報を測位する。位置情報取得装置１４０は、デジタル放送受信装置１００Ａ（自装置）の位置を取得する位置情報取得部の一例である。
【０１３１】
チャンネル情報記憶装置１５０は、例えばフラッシュメモリ等の記憶媒体で構成される。チャンネル情報記憶装置１５０は、チャンネル情報テーブルＤａを格納する。チャンネル情報テーブルＤａは、同一信号判別部１３１で同一サービスと判別された（少なくとも）２つのチャンネルと、その判別がなされた位置を示す位置情報と、を互いに関連付けて管理するデータテーブルである。チャンネル情報記憶装置１５０は、同一サービスのチャンネルの検索結果を記録する記憶部の一例である。
【０１３２】
［２−２．動作］
以下、本実施の形態におけるデジタル放送受信装置１００Ａの動作について図８を用いて説明する。
【０１３３】
図８は、実施の形態２におけるデジタル放送受信装置１００Ａで実行されるサブ受信系統復調処理の一例を示すフローチャートである。
【０１３４】
本実施の形態におけるデジタル放送受信装置１００Ａは、位置情報取得装置１４０で、随時、移動体に搭載されたデジタル放送受信装置１００Ａの現在位置を取得し、チャンネル情報テーブルＤａを参照および更新しながら、サブ受信系統復調処理を行う。具体的には、デジタル放送受信装置１００Ａの制御部１３０は、図３に示したフローチャートを実行し、図３に示したステップＳ１０２において、図８に示すサブ受信系統復調処理を行う。
【０１３５】
図８のフローチャートにおいて、制御部１３０は、まず、位置情報取得装置１４０からデジタル放送受信装置１００Ａの現在位置を示す位置情報を取得する（ステップＳ３１０）。
【０１３６】
次に、制御部１３０は、チャンネル情報テーブルＤａを参照し、メイン信号Ｓｃ１で視聴中のチャンネルが、ステップＳ３１０で取得された位置情報から所定範囲（例えば、半径１ｋｍ）内の位置情報に関連付けられてチャンネル情報テーブルＤａに記録されているか否かを判断する（ステップＳ３１１）。
【０１３７】
制御部１３０は、ステップＳ３１１において、メイン信号Ｓｃ１で視聴中のチャンネルはチャンネル情報テーブルＤａに記録されていないと判断した場合（ステップＳ３１１でＮｏ）、実施の形態１と同様に、ステップＳ３０１〜ステップＳ３０４の各処理を実行する。
【０１３８】
制御部１３０は、ステップＳ３０３の処理を実行してＹｅｓと判断した場合は、ステップＳ３０３で同一サービスと判別されたメイン信号Ｓｃ１およびサブ信号Ｓｃ２の各チャンネルと、現在位置の位置情報（ステップＳ３１０で取得された位置情報）と、を互いに関連付けて、チャンネル情報テーブルＤａに記録する（ステップＳ３１２）。
【０１３９】
制御部１３０は、ステップＳ３１１において、メイン信号Ｓｃ１で視聴中のチャンネルはチャンネル情報テーブルＤａに記録されていると判断した場合（ステップＳ３１１でＹｅｓ）は、チャンネル情報テーブルＤａにおいてメイン信号Ｓｃ１のチャンネルに関連付けられた別のチャンネルを、サブ受信系統で復調する（ステップＳ３１３）。
【０１４０】
これにより、制御部１３０は、図３のサブ受信系統復調処理（ステップＳ１０２）を終了し、ステップＳ１０３に処理を進める。
【０１４１】
デジタル放送受信装置１００Ａでは、以上の処理が実行されることで、メイン受信系統とサブ受信系統との間で、実質的に同一のサービスを提供する互いに異なる２つのチャンネルが判別されたときに（ステップＳ３０３でＹｅｓ）、現在位置の位置情報（ステップＳ３１０で取得された位置情報）に関連付けられて、それらのチャンネルの対応関係（検索結果）がチャンネル情報テーブルＤａに蓄積される（ステップＳ３１２）。
【０１４２】
その後、デジタル放送受信装置１００Ａを搭載した移動体が、その位置（すなわち、チャンネル情報テーブルＤａに蓄積された位置）と同じ位置（またはその近辺）を通過する際に、デジタル放送受信装置１００Ａを使用するユーザが、そのサービス（すなわち、チャンネル情報テーブルＤａに蓄積されたチャンネルにより提供されるサービス）と同じサービスを視聴していれば、デジタル放送受信装置１００Ａの制御部１３０は、ステップＳ３０１〜ステップＳ３０４の処理を再度行わずに、現在ユーザが視聴中のサービスと同一サービスを提供する別のチャンネルをサブ受信系統で復調できる（ステップＳ３１３）。このため、デジタル放送受信装置１００Ａでは、サブ受信系統復調処理の処理時間を短縮し、サブ受信系統復調処理に係る負荷を低減することができる。
【０１４３】
［２−３．効果等］
以上のように、本実施の形態において、デジタル放送受信装置は、位置情報取得部と、記憶部と、をさらに備える。位置情報取得部は、当該デジタル放送受信装置の位置を示す位置情報を取得する。記憶部は、第２チャンネルが選択されたときの位置情報と、第１チャンネルおよび第２チャンネルと、を互いに関連付けて記録する。制御部は、位置情報取得部によって取得される位置情報および記憶部に記録された情報に基づき、第２チャンネルを選択する。
【０１４４】
なお、デジタル放送受信装置１００Ａはデジタル放送受信装置の一例である。位置情報取得装置１４０は位置情報取得部の一例である。チャンネル情報記憶装置１５０は記憶部の一例である。
【０１４５】
例えば、実施の形態２に示した例では、デジタル放送受信装置１００Ａは、図１に示したデジタル放送受信装置１００の構成に加え、さらに位置情報取得装置１４０と、チャンネル情報記憶装置１５０と、を備える。位置情報取得装置１４０は、デジタル放送受信装置１００Ａの位置を示す位置情報を取得する。チャンネル情報記憶装置１５０は、第２チャンネルが選択されたときの位置情報と、第１チャンネルおよび第２チャンネルと、を互いに関連付けて記録する。制御部１３０は、位置情報取得装置１４０によって取得される位置情報およびチャンネル情報記憶装置１５０に記録された情報に基づき、第２チャンネルを選択する。
【０１４６】
これにより、デジタル放送受信装置１００Ａでは、上述したサービスに関する情報の解析により第２チャンネルが選択される毎に、位置情報と、第１チャンネルおよび第２チャンネルと、がチャンネル情報記憶装置１５０に、互いに関連付けられて記録される。その記録がなされた後は、制御部１３０は、チャンネル情報記憶装置１５０に記録された情報に基づき、第２チャンネルを選択することができる。このため、第２チャンネルを選択するときの効率性を向上することができる。
【０１４７】
（他の実施の形態）
以上のように、本出願において開示する技術の例示として、実施の形態１〜２を説明した。しかしながら、本開示における技術は、これに限定されず、変更、置き換え、付加、省略等を行った実施の形態にも適用できる。また、上記実施の形態１〜２で説明した各構成要素を組み合わせて、新たな実施の形態とすることも可能である。
【０１４８】
そこで、以下、他の実施の形態を例示する。
【０１４９】
上記の実施の形態１〜２では、デジタル放送受信装置１００（１００Ａ）が車両等の移動体に搭載される構成例について説明した。しかし、本開示は何らこの構成に限定されない。デジタル放送受信装置１００（１００Ａ）は、例えばモバイル端末に搭載されてもよい。この場合、モバイル端末の所持者が、徒歩や自転車等で移動したり、車両、列車、船舶、または航空機等を利用したりする際に、出力信号Ｓｏの切り替え（メイン信号Ｓｃ１からサブ信号Ｓｃ２への切り替え）が行われてもよい。また、デジタル放送受信装置１００（１００Ａ）が搭載される移動体は、車両に限定されず、例えば列車、船舶、または航空機等であってもよい。
【０１５０】
また、上記の実施の形態１〜２では、デジタル放送受信装置１００（１００Ａ）において、出力信号Ｓｏの切り替え（メイン信号Ｓｃ１からサブ信号Ｓｃ２への切り替え）が行われるときに、第１受信信号処理部１１０と第２受信信号処理部１２０との間でメイン受信系統とサブ受信系統とが互いに入れ替わる動作例を説明した。しかし、本開示は何らこの動作に限定されない。デジタル放送受信装置１００（１００Ａ）では、第１受信信号処理部１１０と第２受信信号処理部１２０とにおいて、メイン受信系統およびサブ受信系統はそれぞれ固定されていてもよい。
【０１５１】
また、上記の実施の形態１〜２では、デジタル放送受信装置１００（１００Ａ）が第１受信信号処理部１１０および第２受信信号処理部１２０の二つの受信系統を有する構成例を説明した。しかし、本開示は何らこの構成に限定されない。デジタル放送受信装置１００（１００Ａ）は、三つ以上の受信系統を有していてもよい。この場合、複数の受信系統の内の１つの受信系統がメイン受信系統に設定され、残りがサブ受信系統に設定されてもよい。また、制御部１３０は、複数のサブ受信系統を用いて、メイン受信系統と同一サービスのチャンネルを、複数検索してもよい。
【０１５２】
また、デジタル放送受信装置１００（１００Ａ）が受信するデジタル放送は、地上デジタル放送であってもよいし、ＢＳ（Ｂｒｏａｄｃａｓｔｉｎｇ  Ｓａｔｅｌｌｉｔｅ）放送、またはＣＳ（Ｃｏｍｍｕｎｉｃａｔｉｏｎｓ  Ｓａｔｅｌｌｉｔｅ）放送であってもよい。また、デジタル放送の規格は、ＩＳＤＢ（ＩＳＤＢ−Ｔ、ＩＳＤＢ−ＴＢ、ＩＳＤＢ−ＴＳ）またはＤＶＢであってもよいし、ＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）であってもよい。
【０１５３】
以上のように、本開示における技術の例示として、実施の形態１〜２を説明した。そのために、添付図面および詳細な説明を提供した。
【０１５４】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１５５】
また、上述の実施の形態１〜２は、本開示における技術を例示するためのものであるから、特許請求の範囲またはその均等の範囲において種々の変更、置き換え、付加、省略などを行うことができる。
【産業上の利用可能性】
【０１５６】
本開示は、デジタル放送の受信機に適用可能である。具体的には、車載用受信機等の、移動体（例えば、車両、列車、船舶、または航空機、等）に搭載される受信機、またはモバイル端末に搭載される受信機、等に適用可能である。
【符号の説明】
【０１５７】
１００，１００Ａ    デジタル放送受信装置
１０１    アンテナ装置
１０２    バッファメモリ
１１０    第１受信信号処理部
１１１，１２１    復調回路
１１２，１２２    多重分離回路
１１３，１２３    信号復号回路
１２０    第２受信信号処理部
１３０    制御部
１３１    同一信号判別部
１３２    信号強度判別部
１３３    遅延同期部
１４０    位置情報取得装置
１５０    チャンネル情報記憶装置
【図１】
2016157725.tif 000003
【図２】
2016157725.tif 000004
【図３】
2016157725.tif 000005
【図４】
2016157725.tif 000006
【図５】
2016157725.tif 000007
【図６Ａ】
2016157725.tif 000008
【図６Ｂ】
2016157725.tif 000009
【図６Ｃ】
2016157725.tif 000010
【図６Ｄ】
2016157725.tif 000011
【図７】
2016157725.tif 000012
【図８】
2016157725.tif 000013
【手続補正書】
【提出日】平成29年9月19日(2017.9.19)
【手続補正１】
【補正対象書類名】明細書
【補正対象項目名】００１１
【補正方法】変更
【補正の内容】
【００１１】
【図１】図１は、実施の形態１におけるデジタル放送受信装置の一構成例を模式的に示すブロック図である。
【図２】図２は、移動体に搭載されたデジタル放送受信装置におけるデジタル放送の受信状態を模式的に示す図である。
【図３】図３は、実施の形態１におけるデジタル放送受信装置の動作の一例を示すフローチャートである。
【図４】図４は、実施の形態１におけるデジタル放送受信装置で実行されるメイン受信系統復調処理の一例を示すフローチャートである。
【図５】図５は、実施の形態１におけるデジタル放送受信装置で実行されるサブ受信系統復調処理の一例を示すフローチャートである。
【図６Ａ】図６Ａは、実施の形態１におけるデジタル放送受信装置から出力される映像信号による表示映像の一例を示す図である。
【図６Ｂ】図６Ｂは、実施の形態１におけるデジタル放送受信装置から出力される映像信号による表示映像の一例を示す図である。
【図６Ｃ】図６Ｃは、実施の形態１におけるデジタル放送受信装置から出力される映像信号による表示映像の一例を示す図である。
【図６Ｄ】図６Ｄは、実施の形態１におけるデジタル放送受信装置から出力される映像信号による表示映像の一例を示す図である。
【図７】図７は、実施の形態２におけるデジタル放送受信装置の一構成例を模式的に示すブロック図である。
【図８】図８は、実施の形態２におけるデジタル放送受信装置で実行されるサブ受信系統復調処理の一例を示すフローチャートである。
【手続補正２】
【補正対象書類名】明細書
【補正対象項目名】０１０５
【補正方法】変更
【補正の内容】
【０１０５】
例えば、実施の形態１に示した例では、デジタル放送受信装置１００は、第１受信信号処理部１１０と、第２受信信号処理部１２０と、制御部１３０と、を備える。第１受信信号処理部１１０は、デジタル放送において第１チャンネルを示すデジタル放送信号Ｓｄ１を受信し、受信したデジタル放送信号Ｓｄ１を復調して得られる第１チャンネル信号（チャンネル信号Ｓｃ１）を出力する。第２受信信号処理部１２０は、第１チャンネルとは異なる第２チャンネルを示すデジタル放送信号Ｓｄ２を受信し、受信したデジタル放送信号Ｓｄ２を復調して得られる第２チャンネル信号（チャンネル信号Ｓｃ２）を生成する。制御部１３０は、第１受信信号処理部１１０および第２受信信号処理部１２０の動作を制御する。制御部１３０は、第１受信信号処理部１１０が第１チャンネル信号（チャンネル信号Ｓｃ１）を出力している期間中に、第１チャンネル信号（チャンネル信号Ｓｃ１）および第２チャンネル信号（チャンネル信号Ｓｃ２）のそれぞれに含まれる、各サービスの内容に関する情報に基づいて、第２チャンネルを選択する。そして、制御部１３０は、出力中の第１チャンネルおよび選択された第２チャンネルのそれぞれの受信状態に基づき、出力する信号を、チャンネル信号Ｓｃ１からチャンネル信号Ｓｃ２に切り替える。
【国際調査報告】
2016157725.tif 000014
2016157725.tif 000015
2016157725.tif 000016
2016157725.tif 000017